(57)【要約】【課題】従来に比して一段と高い自由度により動きを設定することができるルアーを提供する。【解決手段】浮力調整層１２を樹脂材料層１３、１４により挟持して、浮力調整層１２及び樹脂材料層１３、１４を金型を使用して一体化して板状に形成され、樹脂材料層１３、１４が、カーボンファイバー又はグラスファイバーに、樹脂材料を含浸してプレス成型して形成された。【選択図】図１
2016116452.tif 000002
【特許請求の範囲】
【請求項１】
浮力調整層を樹脂材料層により挟持して、前記浮力調整層及び樹脂材料層を金型を使用して一体化して板状に形成され、
前記樹脂材料層が、
カーボンファイバー又はグラスファイバーに、樹脂材料を含浸してプレス成型して形成された
ルアー。
【請求項２】
前記樹脂材料層は、
フォームシート、又は金属部材により形成された
請求項１に記載のルアー。
【請求項３】
前記浮力調整層と樹脂材料層との間に、模様層が設けられた
請求項１又は請求項２に記載のルアー。
【請求項４】
前記樹脂材料に、カラーレジンが添加された
請求項１又は請求項２に記載のルアー。
【発明の詳細な説明】
【技術分野】
【０００１】
本発明は、ルアーに関し、いわゆるスプーン型のルアーに関する。
【背景技術】
【０００２】
従来より、ルアーによる釣り愛好家は、種々にルアーを変更したり、ルアー投入のポイントを変更したり、ラインを巻き取る速度を変更したりすることによりルアーの動きを変化させたりして釣りを楽しんでいる。このためルアーは、形状、色彩等の異なるものが種々に提供されている。特許文献１〜３には、このようなルアーに関する工夫が提案されている。
【０００３】
ここでルアーは、種々の形式のもの提供されており、最も単純な構成のものとして、いわゆるスプーン型のルアーが広く知られている。スプーン型のルアーは、従来、曲げ加工した金属板材等により構成されており、放置すると水中に沈んでいくシンキングタイプのルアーである。スプーン型のルアーには、従来、アルミニウム、真鍮、ステンレス等の金属板材が適用される。
【０００４】
図６は、このスプーン側ルアーの概略形状を示す図であり、図６（Ａ）は平面図であり、図６（Ｂ）及び図６（Ｃ）は、それぞれサイド側から見た断面図及びリア側から見た側面図である。ルアー１は、平面視、リア側が丸みを帯びた涙滴形状により形成され、リア側からフロント側に向かう断面形状が中央部分で盛り上がった断面略円弧形状により形成される。また両サイドより中央部分が盛り上がった断面略円弧形状により形成される。ルアー１は、フロント側及びリア側端部に、それぞれライン及び釣り針を取り付ける貫通穴１Ａ及び１Ｂが設けられる。ルアー１は、従来、金属板材を曲げ加工して作製されることにより、全体がほぼ一定の厚みにより作製される。
【先行技術文献】
【特許文献】
【０００５】
【特許文献１】特開２００９−１４８２３８号公報
【特許文献２】特開２０１２−１００６３８号公報
【特許文献３】特開２０１４−１６１２３２号公報
【発明の概要】
【発明が解決しようとする課題】
【０００６】
このようなスプーン型のルアーに関して、従来に比して一段と高い自由度により動きを設定することができれば、ルアーを使用した釣りの楽しみを一段と向上できると考えられる。
【０００７】
本発明は以上の点を考慮してなされたもので、スプーン型のルアーに関して、従来に比して一段と高い自由度により動きを設定できるようにすることを目的とする。
【課題を解決するための手段】
【０００８】
（１）  浮力調整層を樹脂材料層により挟持して、前記浮力調整層及び樹脂材料層を金型を使用して一体化して板状に形成され、
前記樹脂材料層が、
カーボンファイバー又はグラスファイバーに、樹脂材料を含浸してプレス成型して形成されたルアー。
【０００９】
（１）によれば、樹脂材料層の材料のみにより作製する場合に比して、種々に浮力を調整することができ、これにより従来に比して一段と高い自由度により動きを設定することができる。また各部の厚みを自由に設定することもでき、これによっても動きの自由度を向上することができる。
【００１０】
（２）  （１）において、
前記樹脂材料層は、
フォームシート、又は金属部材により形成されたルアー。
【００１１】
（２）によれば、より具体的構成により、従来に比して一段と高い自由度により動きを設定することができる。
【００１２】
（３）  （１）又は（２）において、
前記浮力調整層と樹脂材料層との間に、模様層が設けられたルアー。
【００１３】
（４）  （１）又は（２）において、
前記樹脂材料に、カラーレジンが添加されたルアー。
【００１４】
（３）又は（４）によれば、浮力調整層と樹脂材料層との積層構造を有効に利用して所望の色彩、模様によるルアーを提供することができる。
【発明の効果】
【００１５】
本発明によれば、従来に比して一段と高い自由度により動きを設定することができるルアーを提供することができる。
【図面の簡単な説明】
【００１６】
【図１】本発明の第１実施形態に係るルアーを示す図である。
【図２】フォールの説明に供する図である。
【図３】サイド方向のフォールの説明に供する図である。
【図４】フロント方向へのフォールの説明に供する図である。
【図５】リア方向へのフォールの説明に供する図である。
【図６】ルアーの説明に供する図である。
【発明を実施するための形態】
【００１７】
以下、本発明の実施形態について詳述する。
【００１８】
〔第１実施形態〕
図１は、図６（Ｂ）及び（Ｃ）との対比により、サイド側及びフロント側から見た断面形状により本発明の第１実施形態に係るルアーを示す図である。このルアー１１は、浮力調整層１２を樹脂材料層１３及び１４により挟持した積層構造（サンドイッチ構造）により構成される。なおこれによりルアー１１は、図２について上述した形状により全体形状が作製されるものの、全体形状にあっては、種々の形状を適用することができる。
【００１９】
ここで浮力調整層１２は、このルアー１１の浮力を調整するための層であり、例えば浮力を大きくして水中にゆっくりフォールさせるルアーについては、厚みに対して重量の軽い部材である比重の軽い部材が適用される。またこれとは逆に、水中にすばやくフォールさせるルアーについては、厚みに対して重量の重い部材が適用される。より具体的に、この実施形態では、この厚みに対して重量の軽い部材として、水より比重の軽い材料であるフォームシートが適用され、これによりルアー１１は、水中にゆっくりとフォールするように構成される。より具体的にフォームシートは、ウレタンフォームシート、アクリル系発泡体樹脂シートによるフォームシート、ポリエステルによるフォームシート、種々の複合材料によるフォームシート等を適用することができる。また浮力調整層１２において、厚みに対して重量の重い部材には、アルミニウム、ステンレス等、水より比重の重い部材を適用することができる。
【００２０】
これに対して樹脂材料層１３及び１４は、浮力調整層１２を保護すると共に、浮力調整層１２による浮力調整をより実行可能にするために設けられる。具体的に、樹脂材料層１３及び１４は、カーボンファイバー、又はグラスファイバーによる繊維状の材料に、ポリエステル、ビニエステル、エポキシ等の樹脂材料を含浸し、プレス加工して作製される。
【００２１】
これによりルアー１１は、浮力調整層１２の材料、厚みの選定、樹脂材料層１３、１４の厚みの選定により、従来に比して格段的に高い自由度により浮力を設定することができ、従来に比して一段と高い自由度により動きを制御することができる。
【００２２】
すなわち浮力調整層１２に重量の軽い部材を適用することにより、ゆっくりとフォールさせることができる。また浮力調整層１２に重量の重い部材を適用することにより、迅速にフォールさせることができる。これらにより浮力調整層１２の材料の選定により、例えば、同一の大きさ、厚みで、早くフォールするもの、ゆっくりとフォールするものを作製することができる。またこれにより、例えば、薄くても沈下速度の早いルアーや、厚くても沈降速度の遅いルアーを作製することが可能となる。
【００２３】
また樹脂材料層１３及び１４の作製に供する金型の変更により、さらには樹脂材料層１３及び１４、浮力調整層１２の積層に供する金型の変更により、各部の厚みを自由に設定することもでき、これによっても動きの自由度を向上することができる。
【００２４】
すなわち図６について上述したように、フロント側からリア側に向かって概ね厚みが等しい場合、図２に示すように、ルアー１１は、フロント及びリア方向では、ほぼまっすぐにフォールする。これに対してルアー１１は、両サイドより中央部分で厚みが厚い場合、図３に示すように、両サイドに搖動しながらフォールする。また中央部分に対して両サイドの厚みを厚くすると、この両サイド方向の搖動幅が大きくなる。なおこの図３は、両サイド方向に最も搖動した状態により、両サイド方向へのルアーの搖動を示す。
【００２５】
これにより後述する樹脂材料層１３、１４、浮力調整層１２の積層一体化に供する金型において、両サイドに対する中央部分の相対的な厚みを種々に調整することにより、沈下時の振り幅のアクションを種々に設定することができる。すなわち両サイドに対する中央部分の相対的な厚みを厚くすることにより、沈下時の振り幅を小さくすることができ、小さなアクションでフォールすることができる。またリトリーブ時のアクションも控えめにすることができる。
【００２６】
またこれとは逆に、両サイドに対する中央部分の相対的な厚みを薄くすることにより、コンパクトな形状でも両サイド方向の搖動幅を大きくすることができる。またリトリーブ時の振り幅も大きくすることができ、これらにより全体のアクションを大きくして、より魚に対するアピールを大きくすることができる。
【００２７】
これに対して図４に示すように、ルアー１１は、フロント側の厚みを厚くしてフロント側を重くすると、フロント側に向かって移動するようにフォールし、これとは逆に図５に示すように、リア側の厚みを厚くしてリア側を重くすると、リア側に向かって移動するようにフォールする。しかしてこの実施の形態に係るルアー１１は、このように意図するフォールの挙動に応じて各部の厚さ、重さが設定される。
【００２８】
これにより樹脂材料層１３、１４、浮力調整層１２の積層一体化に供する金型により、沈下時、フロントヘビーとし、フォール時には、フロント側に向かって沈下して行き、リトリーブ時には、浮き上がりを抑える事ができる。またこれとは逆にリアヘビーとしたりすることができ、フォール時には、リア側に向かって沈下させることができる。
【００２９】
またこのような積層構造することにより、ルアー１１は、サスペンドの機能（水中を浮遊、漂う機能）を確保することもできる。すなわち浮力調整層１２の材料の選定等によって全体の比重をほぼ水を等しくすることにより、ルアー１１は、水中において浮き上がったり、沈んだりする速度を極めて低速度とすることができ、この場合、恰も水中で漂うようにすることができる。これによりルアー１１は、スローなリトリーブにおいても、所望する層（レンジ）をキープすることができ、その結果、表層付近の魚、中層付近の魚に対して、その魚の居るレンジ（層）をゆっくりリトリーブで、長い距離、アピールすることが可能になる。
【００３０】
しかして従来の金属のルアーでは、比重が水より重い為、沈下し、このようにスローなリトリーブにおいて、所望する層（レンジ）をキープすることが難しい。そのため従来の金属のルアーでは、比重の軽いアルミ等を使用して、形状の工夫によりレンジをキープできるように工夫しているものの、結局、このような工夫を施してもスローなリトリーブでは、レンジ（層）をキープすることが難しい。
【００３１】
またこのような従来の金属のルアーは、結局、軽量となることにより、長い距離を投げることが難しくなる。しかしながらこの実施形態では、サスペンドの機能を確保して、形状が大きくはなるものの、重さも確保することができ、これにより遠方に投げ込んで、この遠方から所望の層を長い距離、キャストすることができる。
【００３２】
ルアー１１は、それぞれ金型を使用したプレス成型による含浸、硬化の処理により樹脂材料層１３、１４を構成する部材が作製される。ルアー１１は、接着剤層を介してこの部材と浮力調整層１２とを積層し、金型を使用して加圧、加熱して成型することにより、樹脂材料層１３、１４、浮力調整層１２を積層一体化して作製される。なお樹脂材料層１３、１４、浮力調整層１２の積層体をルアー１１に対応する形状により切り出した後、成型して作製するようにしてもよい。
【００３３】
この実施形態によれば、樹脂材料層１３及び１４により浮力調整層１２を挟持した積層構造によりルアー１１を構成することにより、ルアー１１は、従来に比して格段に高い自由度により種々に浮力を調整することができる。また各部の厚みを種々に設定することができる。これによりルアー１１は、従来に比して一段と高い自由度により動きを設定することができ、ルアーを使用した釣りの楽しみを一段と向上することができる。
【００３４】
より具体的に、浮力調整層１２に水より比重の軽いフォームシートを適用することにより、ルアー１１は、全体を樹脂材料により作製する場合、全体を金属材料により作製する場合に比して軽量化することができ、これにより表層を狙ったり、水面を走るように移動させたりすることができる。
【００３５】
〔第２実施形態〕
この実施形態では、アルミニウム、ステンレス等、水より比重の重い部材である金属板材により浮力調整層１２を作製する。この浮力調整層１２の構成が異なる点を除いて、第１実施形態と同一に構成される。
【００３６】
このように浮力調整層１２をアルミニウム、ステンレス等、水より比重の重い部材である金属板材により構成するようにしても、第１実施形態と同様に、従来に比して格段に高い自由度により種々に浮力を調整することができる。これによりルアー１１は、従来に比して一段と高い自由度により動きを設定することができ、ルアーを使用した釣りの楽しみを一段と向上することができる。
【００３７】
またこのように浮力調整層を水より比重の重い材料により構成することにより、第１実施形態に係るルアーより深層を狙って、ルアーによる釣りを楽しむことができる。
【００３８】
〔第３実施形態〕
この実施形態では、樹脂材料層１３と浮力調整層１２との間、樹脂材料層１４と浮力調整層１２との間に、模様層を設ける。ここで模様層は、ルアーに色彩、模様を設けるために設けられる層であり、例えば模様が印刷された紙、布、シェルスキン、所望の色に着色された紙、布、シェルスキン等が適用される。なおここでシェルスキンは、貝殻のような輝く光沢を備えたリート材、フィルム材である。
【００３９】
樹脂材料層１３は、この模様層を外部から見て取ることができるように、グラスファイバーを使用して透明に作製される。この実施形態では、この模様層に関する構成が異なる点を除いて、第１、第２実施形態と同一に構成される。
【００４０】
この実施形態では、樹脂材料層と浮力調整層との積層構造を有効に利用して種々の模様、色彩を設けることができる。
【００４１】
〔第４実施形態〕
この実施形態では、樹脂材料層に適用される樹脂材料に、カラーレジンを混入するようにして、ルアーを種々の色彩により作製する。この実施形態では、この樹脂材料に関する構成が異なる点を除いて、第１、第２実施形態と同一に構成される。
【００４２】
この実施形態によれば、樹脂材料層に適用される樹脂材料に、カラーレジンを混入することにより、種々の色彩によるルアーを提供することができる。
【００４３】
〔他の実施形態〕
以上、本発明の実施に好適な具体的な構成を詳述したが、本発明は、本発明の趣旨を逸脱しない範囲で、上述の実施形態の構成を種々に組み合わせたり、上述の実施形態の構成を種々に変更することができる。
【００４４】
すなわち上述の実施形態では、スプーン型のルアーに本発明を適用する場合について述べたが、本発明はこれに限らず、プラグ型、ミノー型等、板状により構成される種々のルアーに広く適用することができる。
【符号の説明】
【００４５】
１、１１  ルアー
１Ａ、１Ｂ  貫通穴
１２  浮力調整層
１３、１４  樹脂材料層
【図１】
2016116452.tif 000003
【図２】
2016116452.tif 000004
【図３】
2016116452.tif 000005
【図４】
2016116452.tif 000006
【図５】
2016116452.tif 000007
【図６】
2016116452.tif 000008